(57)【要約】【課題】内照式時計において、光源として蛍光灯やＥＬを使用すると、発光させるのに多大な電圧を必要とした。また、光源を発光ダイオードとし、文字盤方向に配置して文字盤を光らせると、発光ダイオードの設置した部分の光が強く文字盤上のその部分が明るくなってしまい、光があまり拡散されずムラが出来てしまっていた。【解決手段】時計用のモータが内蔵されたムーブメントを文字盤の裏面に設け、ムーブメントの指針軸が文字盤の前面に突出され、時針、分針をつけて時計が形成される。文字盤の裏面の密閉されたケース内に発光ダイオードを文字盤と反対方向に発光するように発光ダイオードを固定する。発光ダイオードから発光した光を反射させる反射部材を設け、発光ダイオードで発光した光を反射部材で反射し、反射した光が文字盤の裏面に当たり文字盤を光らせる。【選択図】　　　　図１
2004003892.tif 000002
【特許請求の範囲】
【請求項１】
ケースの内部に時計のモータ部を構成するムーブメントを文字盤の裏面に設け、前記ムーブメントの指針軸が文字盤の前面に突出され、指針軸の先端に針を設け、指標する文字盤上を回転して時計を構成し、前記文字盤の裏面の密閉されたケース内に光源を設け、光源から出た光で文字盤を光らせる内照式時計において、
前記文字盤の裏面部に光源として文字盤と反対方向に発光するように設けた発光ダイオードと、
該発光ダイオードを固定する手段と、
を設け、
前記発光ダイオードで発光した光をケース内部裏面で反射させ、反射した光が文字盤の裏面に当たることにより文字盤を光らせることを特徴とする内照式時計。
【請求項２】
ケースの内部に時計のモータ部を構成するムーブメントを文字盤の裏面に設け、前記ムーブメントの指針軸が文字盤の前面に突出され、指針軸の先端に針を設け、指標する文字盤上を回転して時計を構成し、前記文字盤の裏面の密閉されたケース内に光源を設け、光源から出た光で文字盤を光らせる内照式時計において、
前記文字盤の裏面部に光源として文字盤と反対方向に発光するように設けた発光ダイオードと、
該発光ダイオードを固定する手段と、
前記発光ダイオードから発光した光を反射する反射部材と、
を設け、
前記発光ダイオードで発光した光を前記文字盤の裏面部の反射部材で反射させ、反射した光が文字盤の裏面に当たることにより文字盤を光らせることを特徴とする内照式時計。
【請求項３】
前記反射部材は白色に塗装することを特徴とする請求項２に記載の内照式時計。
【請求項４】
前記ケース内部は、白色に塗装されていることを特徴とする請求項１および請求項２に記載の内照式時計。
【発明の詳細な説明】
【０００１】
【発明の属する技術分野】
この発明は、時計の文字盤の背面に設けた光源の光を反射させて文字盤を光らせる内照式時計に関するものである。
【０００２】
【従来の技術】
従来は、時計の文字盤の背面に設けた光源の光を反射させて文字盤を光らせる内照式時計において、光源は主に蛍光灯、エレクトロルミネッセンス（以下、ＥＬと称する。）などが使用されている。また、光源として発光ダイオードを使用するものもあるが、文字盤の裏面方向に発光ダイオードを設けて発光させて文字盤を光らせていた。
【０００３】
【発明が解決しようとする課題】
上記説明した従来の内照式時計において、光源として蛍光灯やＥＬを使用すると、発光させるのに多大な電圧を必要とし、寿命が短いため交換などメンテナンスが必要となり、高いところに取り付けた場合、作業に手間がかかった。また、光源を発光ダイオードとし、文字盤方向に配置して文字盤を光らせると、発光ダイオードの設置した部分の光が強く文字盤上のその部分が明るくなってしまい、発光ダイオードの光があまり拡散されずムラが出来てしまうという不具合が生じていた。このムラを解消するため、ムラができないように多数の発光ダイオードを使用すれば解消はできるが、発光ダイオードの多数個使用によりコストが高くなり、消費電力も多大になる。
本発明の目的は、発光ダイオードの光が拡散されて大型の文字盤でも少数の発光ダイオードでムラがなく、視認性がよい時計を提供することである。
【０００４】
【課題を解決するための手段】
時計用のモータが内蔵されたムーブメントを文字盤の裏面に設け、ムーブメントの指針軸が文字盤の前面に突出される。指針軸の先端には時針や分針を設け、指標する文字盤上を回転することにより時計が形成される。文字盤の裏面の密閉されたケース内に発光ダイオードを文字盤と反対方向に発光するように配置し、発光ダイオードを固定する基板を設ける。発光ダイオードから発光した光を反射させるため、反射部材を設けるか、もしくはケースの背面を反射部材代わりに使用する。発光ダイオードで発光した光を反射部材で反射し、反射した光が文字盤の裏面に当たり文字盤を光らせることができる。ケース内部は全面白色に塗装することで拡散性が増す。
【０００５】
【実施の形態】
図１は、本発明の内照式時計の第１の実施例である。
ケース１の中には、光源である発光ダイオード３を発光体の先端をケース裏面方向に配置して発光ダイオード取付基板７に環状した状態で固定している。固定棒５はケース１に溶着などの方法で固定されている。固定棒５の他端部は、発光ダイオード取付基板７を固定するため、発光ダイオード取付基板７貫通穴を設け、発光ダイオード取付基板７の反対側よりねじ９で固定する。固定棒５は図においては２本示されているが実際は４本で固定している。発光ダイオード取付基板７は、中央部をくりぬいてもよく、くりぬいた場合は取り付けている発光ダイオード３の光がより通りやすくなる。また、発光ダイオード取付基板７には、図示していないが、発光ダイオード３の接続線が設けられている。
【０００６】
前面ケース２０には、表面にガラス２４、ガラス２４の後方部に半透明の文字盤２２が固定されている。ムーブメント３０の内部には図示していない時計用のモータが内蔵されており、このムーブメント３０から指針軸である時針軸４２、分針軸４６が突出している。時針軸４２、分針軸４６は、文字盤２２の中央部に設けた貫通穴を文字盤の裏面より突出し、ムーブメント３０は文字盤裏面に固定している。時針軸４２の先端部には時針４０を固定し、分針軸４６の先端部には分針４４を固定している。ムーブメント３０の内部の時計用モータの動力を時針軸４２、分針軸４６に伝達しており、時針軸４２は１２時間で１回転、分針軸４６は１時間に１回転させることにより、時針４０、分針４４が指標している文字盤２２上を回転して時計を形成している。また、ムーブメント３０は、図に示したように前面ケース２０を閉じた状態のとき、ケース１の内部に収まるようになっている。
【０００７】
前面ケース２０は、開閉可能となっている。ケース１の上部には、蝶番取付部材５４を取り付けるための貫通穴を設け、ケース１と蝶番取付部材５４をねじ５６で固定する。前面ケース２０の上部とケース１の蝶番取付部材５４の上部に蝶番５０をねじ５２で取付けて前面ケース２０を開閉可能にする。
【０００８】
前面ケース２０を閉めているとき、前面ケース２０とケース１を密閉させる構造について説明する。ケース１の下部に貫通穴を設け固定部材６０をねじ６２で固定する。前面ケース２０の下部にも貫通穴を設け、固定部材６４をねじ６６により固定する。固定部材６０および６４には、蝶ねじ６８を入れる貫通穴を設け、蝶ねじ６８を挿入することによりケース前面２０を閉めている状態では、前面ケース２０とケース１は密閉されている。
【０００９】
発光ダイオード３は、図示しない制御回路で設定した時間になると自動的にＯＮ、ＯＦＦが行われる。制御回路は内照式時計を設置した壁の内部などに設けられている。制御回路では、例えば、外部にセンサーを付けて暗さを判別し、設定した暗さになったら発光させるといった制御もすることができる。
【００１０】
次に光源である発光ダイオードが発光した場合について説明する。
発光ダイオード３が発光するとケース１の中の裏面に光が当たり、文字盤２２の裏面に向かって反射する。発光ダイオード３から発光した光が半透明の文字盤２２に対して散乱するように反射するので、文字盤２２全体をほぼ均一に照明させることができる。また、前面ケース２０が閉じた状態では、ケース１と密閉状態になるので、発光ダイオード３から発光した光が外部に漏れることはない。ケース１の内部を全面白色で塗装すると、より多くの光が反射できる。
【００１１】
発光ダイオード３は、図１においては５個が示されているが、実際は８個固定されている。発光ダイオード３の数は特に何個と制限するものではなく、明るくしたければ発光ダイオード３の数を増やし、もっと暗くてもよいということであれば、発光ダイオード３の数を減らせばよい。また、発光ダイオード３は、例えば、白色、青色、赤色といったのものを使用でき、設置した色に発光した文字盤２２を視認することができる。また、発光ダイオード３の白色と青色といったものを交互に設置する事も可能である。ただし、設置する発光ダイオード３の色により発光させる電圧値が異なるので電源の調整は必要になるが、その場合は図示しない制御回路で各発光ダイオード３への電圧値の調整をすればよい。
【００１２】
図２は、本発明の内照式時計の第２の実施例である。図１は、１面の時計で壁に取り付けるタイプで、図２は前後の２面で構成した時計で、更に太陽電池を利用し、屋外で使用するポール時計などに使用したものである。
【００１３】
ケース１０１の側面部に反射板取付部材１１０の一端をねじ１１４で固定し、他端部を反射板１０７にねじ１１５で固定している。反射板取付部材は、１１０、１１１の他に図示していないもう１つあり、この３方向からの反射板取付部材により反射板１０７を固定している。
【００１４】
発光ダイオード１０３は発光ダイオード取付基板１０５に、発光ダイオード１０４は発光ダイオード取付基板１０６に取り付けられる。固定棒１０８と１０９の一端部はねじ止め構造になっており、反射板１０７の貫通穴を通して固定棒１０８と１０９を固定している。固定棒１０８、１０９のもう一端部は、発光ダイオード取付基板１０５、１０６の反対側からねじ１１２、１１３で固定している。固定棒は図においては２本示されているが実際は４本で固定している。
【００１５】
前面ケース１２０には、表面にガラス１２４、ガラス１２４の後方部に半透明の文字盤１２２が固定されている。ムーブメント１３０の内部には図示していない時計用のモータが内蔵されており、このムーブメント１３０から指針軸である時針軸１４２、分針軸１４６突出している。時針軸１４２、分針軸１４６は、文字盤１２２の中央部に設けた貫通穴を文字盤の裏面より突出し、ムーブメント１３０は文字盤裏面に固定している。時針軸１４２の先端部には時針１４０を固定し、分針軸１４６はの先端部には分針１４４を固定している。ムーブメント１３０の内部の時計用モータの動力を時針軸１４２、分針軸１４６に伝達して、時針１４０、分針１４４が指標している文字盤１２２上を回転することにより時計を形成している。また、ムーブメント１３０は、図に示したように前面ケース１２０を閉じた状態のとき、ケース１０１の内部に収まるようになっている。
【００１６】
前面ケース１２０は、図１と同じように開閉可能となっている。ケース１０１の上部に取り付けた蝶番取付部材１５４と前面ケース１２０の上部に蝶番１５０を取付けて前面ケース１２０を開閉可能にする。また、前面ケース１２０を閉めた状態のとき密閉するため、図１と同じように前面ケース１２０に設けた固定部材１６４と、ケース１０１に設けた固定部材１６０に貫通穴を設け、蝶ねじ１６８を挿入することによりケース前面１２０を閉めたときはケース１０１と前面ケース１２０とは密閉された状態になる。なお、もう一面の方も同じように構成されているので、説明は省略する。
【００１７】
太陽電池１７１は、取付板１７３に取り付けている。取付板１７３の上部には鳥が太陽電池１７１の上にのるのを防止する鳥よけ棒１７４がナット１７５により固定されている。取付板１７３の下部には太陽電池取付部材１７７を設け、図示していないがねじなどで太陽電池取付部材１７７と取付板１７３を固定する。取付ポール１７６ａをケース１０１の上部に設けた貫通穴に通し、取付ポール１７６ａに設けた固定板１７６ｂの上部よりナット１７８によりケース１０１に固定する。取付ポール１７６ａの上部には太陽電池取付部材１７７を挿入しナット１７９にて固定する。太陽電池１７１は太陽が当たる方向に向けて取り付ける。
【００１８】
ケース１０１の下部にはポール１８５が設けられる。ケース１０１の下部にはポール挿入部１８３が設けられている。ポール挿入部１８３の挿入部にポール１８５を挿入し、固定ナット１８７を締めることによりケース１０１とポール１８５が固定されている。ポール１８５は空洞になっており、図には示していないが、発光ダイオード１０３、１０４などの接続線、太陽電池からの接続線などが入り、ポール１８５の下方に発光ダイオードＯＮ、ＯＦＦ制御、太陽電池の制御などを行う制御回路を設けている。
【００１９】
次に光源である発光ダイオードを発光した場合について説明する。
発光ダイオード１０３、１０４は、図１で説明したのと同じように、時計に設けられた図示しない制御回路で設定した時間になると自動的に発光させている。反射板１０７は全面白色で塗装して、発光ダイオード１０３および発光ダイオード１０４で発光した光を反射できるようにしている。発光ダイオード１０３が発光すると反射板１０７に光が当たり、文字盤１２２の裏面に向かって反射する。また、文字盤１２２に当たって反射した光は反対側の文字盤１２３にも当たる。同様に発光ダイオード１０４が発光すると反射板１０７に光が当たり、文字盤１２３の裏面に向かって反射する。また、文字盤１２３に当たって反射した光は反対側の文字盤１２２にも当たる。発光ダイオード１０３、１０４から発光した光が半透明の文字盤１２２、１２３に対して散乱するように反射するので、文字盤１２２、１２３の全体をほぼ均一に照明させることができる。また、前面ケース１２０、１２１が閉じた状態では、ケース１０１と密閉されているので、発光ダイオード１０３、１０４から発光した光が外部に漏れることはない。
【００２０】
太陽電池１７１は、図示しない制御回路により制御されており、通常日の当たる時間帯、例えば、朝８時に太陽電池で充電できるようにスイッチを入れて、蓄電池に充電を行い、日の落ちる時間、例えば夕方５時に充電をやめるように信号を送って制御されている。太陽電池１７１により蓄電池に充電されたエネルギーは、時計の駆動、発光ダイオード１０３、１０４の電源として使われる。
【００２１】
【発明の効果】
本発明によると、発光ダイオードで発光した光を文字盤に直接あてず、一度発光ダイオードの光を反射させて、反射した光を文字盤にあてるので、ダウンライト状のやわらかい光となって文字盤全体をほぼ均一に照明でき視認性もいい。また、光源を発光ダイオードにしたことで従来使用していた光源であるＥＬや蛍光灯に比べると、低電圧、長寿命、コストが低額になる。発光ダイオードは、長寿命であるので、大幅にメンテナンスの手間を少なくできる。
【００２２】
また、少量の発光ダイオードしか用いていないので。従来と比べると大幅に消費電力が減るので、その分、太陽電池の大きさも小さくすることができ、美観の向上にもつながる。
【図面の簡単な説明】
【図１】本発明の内照式時計の第１の実施例である。
【図２】本発明の内照式時計の第２の実施例である。
【符号の説明】
１　ケース
３　発光ダイオード
２０　前面ケース
２２　文字盤
３０　ムーブメント
４０　時針
４２　時針軸
４４　分針
４６　分針軸
【図１】
2004003892.tif 000003
【図２】
2004003892.tif 000004